(57)【要約】      （修正有）【課題】取り付け可能なヘッドボード等の厚さの範囲を拡大することができる照明装置を提供する。【解決手段】Ｌ字状の本体２と、灯具３と、固定部４とを有し、この固定部４が、挟持部３２と摺動部３１とを有するＬ字状の金具２８と、この金具２８の挟持部３２と対向する押圧部１０と、この押圧部１０を挟持部３２側へ付勢する付勢手段としてのコイルバネ１１と、金具２８の反押圧部１０側への移動を阻止する爪部２４とを有する。金具２８に、同幅の短部としての短板部２９と長部としての長板部３０を設け、短板部２９に、複数の第一受部３３からなる第一受部群を設けると共に、長板部３０に、複数の第二受部３５からなる第二受部群を設ける。短板部２９又は長板部３０の一方を摺動部３１とし、他方を挟持部３２として、第一受部３３又は第二受部３５と爪部２４とを係合可能とする。【選択図】図４
0003177076.tif 000002
【実用新案登録請求の範囲】
【請求項１】
水平部と垂直部を有する本体と、この本体に取り付けられた灯具と、前記本体を被固定部に固定するための固定部とを有し、
前記固定部が、挟持部と摺動部とを有するＬ字状の金具と、この金具の挟持部と対向する押圧部と、前記押圧部を前記挟持部側へ付勢する付勢手段と、前記金具の反押圧部側への移動を阻止する爪部とを有して構成される照明装置において、
前記Ｌ字状の金具に、同幅の短部と長部を設け、前記短部に、前記爪部と係合する複数の第一受部からなる第一受部群を設け、前記長部に、前記爪部と係合する複数の第二受部からなる第二受部群を設けると共に、
前記短部と長部の何れか一方を挟持部とし他方を摺動部とするように切り替え可能として、前記摺動部とされた前記短部又は長部に形成された前記第一受部又は第二受部を前記爪部と係合させたことを特徴とする照明装置。
【請求項２】
前記第一受部群における前記長部に対し最遠の受部から前記長部までの距離を、前記第二受部群における前記短部に対し最近の受部から前記短部までの距離以上としたことを特徴とする請求項１記載の照明装置。
【請求項３】
前記挟持部とされた前記短部に、この短部よりも長い当接部材を前記押圧部に対向させて着脱可能に取り付けたことを特徴とする請求項２記載の照明装置。
【考案の詳細な説明】
【技術分野】
【０００１】
本考案は、他の物体に固定される照明装置に関するものであり、特に、ベッド等に固定される照明装置に関するものである。
【背景技術】
【０００２】
従来、ヘッドボード等の被固定部が単純な厚板となっているだけのベッドやパイプベッド等で枕元を照明しようとした場合、使用者は、照明装置を用意する必要があった。そして、このような用途に用いられる照明装置として、垂直板（本願考案の被固定部に相当する）を挟持するためのクランプ台に照明装置を取り付ける構造のものが知られている（例えば、特許文献１参照。）。そして、このような照明装置は、クランプ台を締め付けるための締付ボルトを突出させないようにすることで、ヘッドボード等の被固定部を壁に近接させることができる。また、Ｌ字状の本体と、この本体に取り付けられた灯具と、前記本体を被固定部に固定するための固定部とを有する照明装置において、前記固定部が、挟持部と摺動部とを有するＬ字状の金具と、この金具の挟持部と対向する押圧部と、前記押圧部を前記挟持部側へ付勢する付勢手段と、前記金具の前記押圧部側への移動を可能にすると共に反押圧部側への移動を阻止するラチェット機構とを有して構成されるものも知られている（例えば、特許文献２参照。）。
【先行技術文献】
【特許文献】
【０００３】
【特許文献１】特開平１０−６９８０７号公報
【特許文献２】実用新案登録第３１４０４９０号公報
【考案の概要】
【考案が解決しようとする課題】
【０００４】
しかしながら、特許文献１のような照明装置は、突出量を小さくすることができるとは言うものの、前記締付ボルトが必ず突出するので、前記照明装置のクランプ台が取り付けられる前記垂直板等を壁に近付けることにも限界がある。従って、このような照明装置を用いる場合、前記クランプ台が取り付けられる前記垂直板と壁との間に、少なくとも前記締付ボルトの突出量分の隙間を設ける必要がある。また、このような照明装置を前記ヘッドボード等に取り付ける場合、前記締付ボルトを手で回すための空間が前記垂直板の背後に必要である。従って、実際には、前記クランプ台が取り付けられる前記垂直板と壁との間には、大きな間隔を空けておく必要があった。なお、前記クランプ台を前記垂直板に取り付けた後で、ベッドを動かして、前記クランプ台が取り付けられた前記垂直板を壁に近付けるという方法も考えられる。しかしながら、この場合、前記クランプ台が弛んでしまうと、その度にベッドを動かして前記締付ボルトを締め直さなければならないという問題が生ずる。また、ベッドを動かす際に、前記締付ボルトを壁に衝突させてしまうと、簡単に壁に傷が付いてしまうという問題があった。前記締付ボルトを正面側に設ければ、このような問題は生じないが、美観上の問題が生ずるばかりでなく、衣服等を前記締付ボルトに引っ掛けてしまう虞が生ずる。
【０００５】
特許文献２は、特許文献１の問題点を解決したものであるが、前記被固定部が厚い場合には、挟持部と押圧部とで前記被固定部を挟持することができないという問題があった。本体及びＬ字状の金具を大きくすれば、一応、挟持可能な前記被固定部の厚さ範囲を拡大することができる。しかしながら、この場合、薄い前記被固定部を挟持するために厚いスペーサが必要になるため、前記被固定部から使用者側への突出量が大きくなって邪魔になってしまうという問題が生じる。
【０００６】
本考案は以上の問題点を解決し、取り付け可能な被固定部の厚さの範囲を拡大することができる照明装置を提供することを目的とする。
【課題を解決するための手段】
【０００７】
本考案の請求項１に記載の照明装置は、水平部と垂直部を有する本体と、この本体に取り付けられた灯具と、前記本体を被固定部に固定するための固定部とを有し、前記固定部が、挟持部と摺動部とを有するＬ字状の金具と、この金具の挟持部と対向する押圧部と、前記押圧部を前記挟持部側へ付勢する付勢手段と、前記金具の反押圧部側への移動を阻止する爪部とを有して構成される照明装置において、前記Ｌ字状の金具に、同幅の短部と長部を設け、前記短部に、前記爪部と係合する複数の第一受部からなる第一受部群を設け、前記長部に、前記爪部と係合する複数の第二受部からなる第二受部群を設けると共に、前記短部と長部の何れか一方を挟持部とし他方を摺動部とするように切り替え可能として、前記摺動部とされた前記短部又は長部に形成された前記第一受部又は第二受部を前記爪部と係合させたものである。
【０００８】
また、本考案の請求項２に記載の照明装置は、請求項１において、前記第一受部群における前記長部に対し最遠の受部から前記長部までの距離を、前記第二受部群における前記短部に対し最近の受部から前記短部までの距離以上としたものである。
【０００９】
更に、本考案の請求項３に記載の照明装置は、請求項２において、前記挟持部とされた前記短部に、この短部よりも長い当接部材を前記押圧部に対向させて着脱可能に取り付けたものである。
【考案の効果】
【００１０】
本考案の請求項１に記載の照明装置は、以上のように構成することにより、前記金具の挟持部と前記押圧部とで前記被固定部を挟むように配置し、前記挟持部と押圧部とが近づくように前記金具と前記本体を相対的に動かすことで、前記付勢手段によって付勢された押圧部と前記挟持部とによって、前記被固定部を挟持する。この際、前記金具の長部を挟持部とし、短部を摺動部として、前記第一受部群のうち適宜の第一受部と前記爪部とを係合させることで、前記照明装置は比較的薄い前記被固定部に取り付けることができる。一方、前記金具の短部を挟持部とし、長部を摺動部として、前記第二受部群のうち適宜の第二受部と前記爪部とを係合させることで、前記照明装置は比較的厚い前記被固定部に取り付けることができる。
【００１１】
なお、前記第一受部群における前記長部に対し最遠の第一受部から前記長部までの距離を、前記第二受部群における前記短部に対し最近の第二受部から前記短部までの距離以上とすることで、前記長部を挟持部とした場合に挟持可能な被固定部の厚さ範囲と、前記短部を挟持部とした場合に挟持可能な被固定部の厚さ範囲との間にギャップが生じないので、挟持可能な被固定部の厚さ範囲であれば、前記押圧部と挟持部によって良好に挟持することができる。
【００１２】
また、前記挟持部とされた前記短部に、この短部よりも長い当接部材を前記押圧部に対向させて着脱可能に取り付けることで、前記短部を挟持部とする場合でも、被固定部における反押圧部側の当接面積を広くして、安定して被固定部を挟持することができる。
【図面の簡単な説明】
【００１３】
【図１】本考案の一実施形態を示す照明装置の正面図である。
【図２】同、平面図である。
【図３】同、左側面図である。
【図４】同、Ａ−Ａ断面図である。
【図５】同、Ｌ字状の金具の短部を挟持部とした場合のＡ−Ａ断面図である。
【図６】同、Ｌ字状の金具において、長部を挟持部とした場合と短部を挟持部とした場合とを比較した左側面図である。
【図７】同、長部を挟持部とした場合における、Ｌ字状の金具と当接部材との分解斜視図である。
【図８】同、短部を挟持部とした場合における、Ｌ字状の金具と当接部材との分解斜視図である。
【図９】同、比較的薄い被固定部に取り付けられた状態における左側面図である。
【図１０】同、比較的厚い被固定部に取り付けられた状態における左側面図である。
【考案を実施するための形態】
【００１４】
以下、本考案の実施形態について、図１乃至図１０に基づいて説明する。なお、本実施形態では、図１乃至図３の姿勢を基準として、前後及び上下を規定する。即ち、図２においては、上が後、下が前である。また、図３においては、右が前、左が後である。
【００１５】
１は本考案の照明装置である。この照明装置１は、本体２と灯具３と固定部４とで構成される。なお、前記灯具３は、前記本体２に対して枢支される。
【００１６】
前記本体２のケーシング５は、垂直部６と水平部７とで逆Ｌ字状に形成される。なお、この垂直部６及び水平部７という名称は便宜上命名したものである。前記垂直部６が水平で且つ前記水平部７が垂直となる姿勢で被固定部に前記照明装置１を取り付けたり、前記垂直部６と水平部７とが共に傾斜した状態の姿勢で被固定部に前記照明装置１を取り付けたりしても良い。
【００１７】
前記垂直部６は、後方が開放する。そして、この垂直部６には、複数の筒状部８が前記水平部７と平行に設けられる。また、前記垂直部６には、主回路基板９が保持される。そして、前記垂直部６には、押圧部１０が前後方向に移動可能に取り付けられる。なお、この押圧部１０は、付勢手段としての複数のコイルバネ１１によって、後方に付勢される。また、このコイルバネ１１は、前端側が前記筒状部８内に位置すると共に、後端が前記押圧部１０の前面に当接する。更に、前記押圧部１０の後面には、防滑シート１２が貼り付けられる。なお、この防滑シート１２は、被固定部の傷付きを防止する役割も果たす。
【００１８】
一方、前記水平部７の上面前部には、複数の貫通孔１３が形成される。また、前記水平部７の内部には、透光性を有する材質から成る操作片１４が取り付けられる。この操作片１４は、弾性変形可能な腕部１５と、この腕部１５の先端に形成されると共に前記貫通孔１３から外部に露出する操作部１６と、前記腕部１５から下方に突出した押圧突部１７とを有して一体に形成される。なお、これらの腕部１５と操作部１６と押圧突部１７は、前記貫通孔１３と同数形成される。そして、前記水平部７の内部で且つ前記操作片１４の下方には、スイッチ基板１８が設けられる。このスイッチ基板１８には、前記押圧突部１７によって押されるスイッチ１９と、発光ダイオード２０が実装される。なお、これらのスイッチ１９と発光ダイオード２０は、前記貫通孔１３と同数実装される。また、前記水平部７の上面後部には、切欠部２１が形成されると共に、前記水平部７の内部には、ラチェットアーム２２が枢支される。なお、このラチェットアーム２２の後端には、指掛部２３が形成されると共に、この指掛部２３は、前記切欠部２１から外部に露出する。そして、前記ラチェットアーム２２には、下方に突出した爪部２４が形成される。なお、この爪部２４は、前方に垂直面２４Ａが形成されると共に、後方に傾斜面２４Ｂが形成される。また、この爪部２４を下方に付勢するためのコイルバネ２５が、前記水平部７内に設けられる。また、前記水平部７の後端には、開口部２６が設けられる。更に、前記水平部７の左側面には、電源コード２７が設けられる。
【００１９】
そして、前記水平部７の後部には、鋼板を折り曲げて形成されたＬ字金具２８が取り付けられる。このＬ字金具２８は、短部としての短板部２９と、長部としての長板部３０とで一体に形成される。なお、前記短板部２９と長板部３０のなす角度は、π／２である。また、前記短板部２９と長板部３０の幅及び厚さは等しい。これらの短板部２９と長板部３０は、何れも前記開口部２６から前記水平部７内に挿入可能である。即ち、前記短板部２９と長板部３０は、何れか一方が選択的に前記開口部２６から前記水平部７内に挿入されて、この水平部７内を前後方向に移動可能に構成される。なお、前記短板部２９と長板部３０の何れか一方を前記開口部２６から前記水平部７内に挿入すると、他方は前記押圧部１０と対向する。ここで、前記開口部２６から前記水平部７内に挿入されて、この水平部７内を前後に移動可能な部位を摺動部３１とし、前記押圧部１０と対向する部位を挟持部３２とする。即ち、図４は、前記短板部２９を前記摺動部３１、前記長板部３０を前記挟持部３２とした状態を示す。一方、図５は、前記長板部３０を前記摺動部３１、前記短板部２９を前記挟持部３２とした状態を示す。また、前記短板部２９には、複数の第一受部３３からなる第一受部群３４が形成される。同様に、前記長板部３０にも、複数の第二受部３５からなる第二受部群３６が形成される。複数の前記第一受部３３は、前記短板部２９を前記摺動部３１とした状態で、前後方向に等間隔に並ぶように貫通形成される。一方、複数の前記第二受部３５は、前記長板部３０を前記摺動部３１とした状態で、前後方向に等間隔に並ぶように貫通形成される。そして、前記第一受部群３４を構成する第一受部３３のうち、前記長板部３０の最遠位置に形成された第一受部３３Ａから前記長板部３０までの距離Ｌ１は、前記第二受部群３６を構成する第二受部３５のうち、前記短板部２９の最近位置に形成された第二受部３５Ａから前記短板部２９までの距離Ｌ２以上である。なお、図６に示すように、Ｌ１＝Ｌ２であることが好ましい。そして、前記第一受部３３又は第二受部３５には、前記ラチェットアーム２２の爪部２４が係合可能である。そして、これらラチェットアーム２２とコイルバネ２５と各受部群３４，３６とで、前記Ｌ字金具２８の前方への移動を可能にすると共に後方への移動を阻止するラチェット機構３７が構成される。
【００２０】
前記挟持部３２となる前記長板部３０又は短板部２９には、当接部材３８が着脱可能に取り付けられる。この当接部材３８は、強度の高い合成樹脂によって構成される。なお、前記当接部材３８の上下方向寸法Ｌ３は、前記長板部３０を挟持部３２とした場合における、前記水平部７の下端から前記長板部３０の下端までの距離とほぼ等しい。即ち、前記当接部材の上下方向寸法Ｌ３は、前記短板部２９を挟持部３２とした場合における前記短板部２９の上下方向の寸法よりも大きい。そして、前記当接部材３８には、前記挟持部３２となる前記長板部３０又は短板部２９を挿入保持するための凹溝部３９が形成される。更に、前記当接部材３８の前側（即ち押圧部１０側）には、防滑シート４０が貼り付けられる。なお、この防滑シート４０は、被固定部の傷付きを防止する役割も果たす。一方、前記当接部材３８の後側（即ち反押圧部１０側）には、壁面等を保護するための保護シート４１が貼り付けられる。また、前記第一受部群３４を構成する第一受部３３のうち、前記長板部３０の最近位置に形成された第一受部３３Ｂと爪部２４とが係合した状態において、前記防滑シート４１の後面は、前記本体２の水平部７の後端よりも後方となる。そして、これら押圧部１０とＬ字金具２８とラチェット機構３７と当接部材３８とで、前記固定部４が構成される。
【００２１】
そして、前記水平部７の前端部で且つ前記垂直部６の前面上部には、関節部材４２が枢支される。なお、この関節部材４２は、前記本体２のケーシング５に対して、前後方向に延びる軸Ｘを中心に回動可能に枢支される。そして、前記関節部材４２には、前記灯具３が枢支される。なお、この灯具３は、前記関節部材４２に対して、軸Ｘと直交する軸Ｙを中心に回動可能に枢支される。
【００２２】
前記灯具３は、ケーシング４３と、透光部４４とを有して構成される。そして、前記ケーシング４３内には、発光ダイオード４５と、レンズ４６と、放熱板４７が設けられる。また、前記灯具ケーシング４３には、多数の放熱孔４８が形成される。
【００２３】
次に、本考案の作用について説明する。前記照明装置１をベッドの比較的薄いヘッドボードＨ１に取り付ける場合、図４に示すように、前記短板部２９を摺動部３１、前記長板部３０を挟持部３２とする。そして、前記挟持部３２となる長板部３０に、前記当接部材３８を取り付ける。この際、前記長板部３０は、前記当接部材３８の凹溝部３９に挿入される。なお、前述した通り、前記当接部材３８の上下方向寸法Ｌ３が、前記水平部７の下端から前記長板部３０の下端までの距離とほぼ等しいので、前記長板部３０における前記水平部７よりも下方の部分が、全て前記当接部材３８の凹溝部３９に挿入される。また、前記当接部材３８は、前記防滑シート４０が貼り付けられた側が前側となるように、前記長板部３０に取り付けられる。更に、前記摺動部３１となる短板部２９を、前記開口部２６から前記水平部７内に挿入する。この状態で、前記長板部３０に取り付けられた前記当接部材３８における前記防滑シート４０が貼り付けられた側は、前記押圧部１０と対向する。そして、前記水平部７に対し前記摺動部３１（前記短板部２９）を相対的に前方に移動させることで、前記爪部２４が前記第一受部群３４の第一受部３３と係合する。即ち、前記爪部２４は、前記爪部の傾斜面２４Ｂが前記摺動部３１（前記短板部２９）の前端上縁又は前記第一受部３３の後端上縁に当接することで、前記ラチェットアーム２２ごと前記コイルバネ２５の付勢力に抗して押し上げられる。そして、前記爪部２４が後方に隣接する前記第一受部３３に至ると、前記爪部２４は、前記コイルバネ２５の付勢力によって前記ラチェットアーム２２ごと押し下げられ、前記第一受部３３内に挿入される。これを繰り返すことで、前記爪部２４は、任意の第一受部３３と係合する。
【００２４】
前記押圧部１０の防滑シート１２から前記当接部３８の防滑シート４０までの距離が、前記ヘッドボードＨ１の厚さＴ１よりも大きければ、そのまま前記照明装置１が前記ヘッドボードＨ１に取付可能な状態である。一方、前記押圧部１０の防滑シート１２から前記当接部３８の防滑シート４０までの距離が、前記ヘッドボードＨ１の厚さＴ１よりも小さければ、前記摺動部３１（前記短板部２９）を相対的に後方に移動させる必要がある。この場合、使用者は、前記ラチェットアーム２２の指掛部２３に指を掛け、前記コイルバネ２５の付勢力に抗して、前記ラチェットアーム２２を上方に引き上げる。このように、前記ラチェットアーム２２を上方に引き上げると、前記爪部２４が上方に移動して、この爪部２４が前記第一受部３３から外れる。このように、前記爪部２４が前記第一受部３３から外れた状態とすることで、前記Ｌ字金具２８の摺動部３１（前記短板部２９）は、前記本体２のケーシング５の水平部７に対して、前後両方向に移動可能となる。この状態で、使用者は、前記Ｌ字金具２８を後方に移動させ、前記防滑シート１２から前記防滑シート４０までの距離を前記ヘッドボードＨ１の厚さＴ１よりも大きくした後、前記指掛部２３から指を離す。これによって、前記照明装置１が前記ヘッドボードＨ１に取付可能な状態となる。
【００２５】
そして、前記挟持部３２（前記長板部３０）に取り付けられた当接部材３８と前記押圧部１０とで前記ヘッドボードＨ１を挟み込むようにした後、前記当接部材３８が動かないように支えながら、前記本体２を前記ヘッドボードＨ１に押し付ける。この際、前記Ｌ字金具２８は、前記水平部７に対して相対的に前方に移動する。そして、前記傾斜面２４Ｂに当接する前記第一受部３３の後端上縁が前記爪部２４、即ち前記ラチェットアーム２２を上方に押し上げるので、前記爪部２４が前記第一受部３３と係合していたとしても、前記Ｌ字金具２８は、前記水平部７に対して相対的に前方に移動可能である。そして、前記押圧部１０の防滑シート１２が前記ヘッドボードＨ１の前面に当接した状態から、更に前記本体２を前記ヘッドボードＨ１に押し付けることで、前記押圧部１０は、前記コイルバネ１１の付勢力に抗して、前方、即ち前記挟持部３２から離れる方向に移動する。この状態から使用者が手を離すと、前記押圧部１０は、前記コイルバネ１１の付勢力によって、前記ヘッドボードＨ１の前面に押し付けられる。一方、前記Ｌ字金具２８は、前記爪部２４の垂直面２４Ａが前記第一受部３３の前縁に当接した状態となることで、前記水平部７に対して相対的に後方に移動不能となる。従って、前記コイルバネ１１の付勢力によって、前記挟持部３２（前記長板部３０）に取り付けられた当接部材３８と前記押圧部１０とで前記ヘッドボードＨ１が挟持されるので、前記照明装置１は、図９に示すように、前記ヘッドボードＨ１に取り付けられる。
【００２６】
なお、前記ヘッドボードＨ１の後面と壁Ｗ等の間に、前記防滑シート４０及び保護シート４１が貼り付けられた前記当接部材３８が挿入可能な最小限の隙間を空けた状態で、この隙間に前記挟持部３２（前記長板部３０）に取り付けられた当接部材３８を挿入し、前記本体２を前記ヘッドボードＨ１に押し付けるだけで、前記照明装置１は、ベッド等を動かすことなく、前記ヘッドボードＨ１に取り付けられる。この際、前記当接部材３８が前記壁Ｗに軽く押し付けられるが、前述したように、前記当接部材３８の後側に前記保護シート４１が貼り付けられているので、前記壁Ｗは傷つけられることがない。
【００２７】
前記照明装置１をベッドの比較的厚いヘッドボードＨ２に取り付ける場合、図５に示すように、前記長板部３０を摺動部３１、前記短板部２９を挟持部３２とする。そして、前記挟持部３２となる短板部２９に、前記当接部材３８を取り付ける。この際、前記短板部２９は、前記当接部材３８の凹溝部３９に挿入される。なお、前述した通り、前記当接部材３８の上下方向寸法Ｌ３が、前記短板部２９の上下方向寸法よりも大きいので、前記短板部２９は前記凹溝部３９の途中までしか挿入されない。また、前記当接部材３８は、前記防滑シート４０が貼り付けられた側が前側となるように、前記短板部２９に取り付けられる。更に、前記摺動部３１となる長板部３０を、前記開口部２６から前記水平部７内に挿入する。この状態で、前記短板部２９に取り付けられた前記当接部材３８における前記防滑シート４０が貼り付けられた側は、前記押圧部１０と対向する。そして、前記水平部７に対し前記摺動部３１（前記長板部３０）を相対的に前方に移動させることで、前記爪部２４が前記第二受部群３６の第二受部３５と係合する。即ち、前記爪部２４は、前記爪部の傾斜面２４Ｂが前記摺動部３１（前記長板部３０）の前端上縁又は前記第二受部３５の後端上縁に当接することで、前記ラチェットアーム２２ごと前記コイルバネ２５の付勢力に抗して押し上げられる。そして、前記爪部２４が後方に隣接する前記第二受部３５に至ると、前記爪部２４は、前記コイルバネ２５の付勢力によって前記ラチェットアーム２２ごと押し下げられ、前記第二受部３５内に挿入される。これを繰り返すことで、前記爪部２４は、任意の第二受部３５と係合する。
【００２８】
前記押圧部１０の防滑シート１２から前記当接部３８の防滑シート４０までの距離が、前記ヘッドボードＨ２の厚さＴ２よりも大きければ、そのまま前記照明装置１が前記ヘッドボードＨ２に取付可能な状態である。一方、前記押圧部１０の防滑シート１２から前記当接部３８の防滑シート４０までの距離が、前記ヘッドボードＨ２の厚さＴ２よりも小さければ、前記摺動部３１（前記長板部３０）を相対的に後方に移動させる必要がある。この場合、使用者は、前記ラチェットアーム２２の指掛部２３に指を掛け、前記コイルバネ２５の付勢力に抗して、前記ラチェットアーム２２を上方に引き上げる。このように、前記ラチェットアーム２２を上方に引き上げると、前記爪部２４が上方に移動して、この爪部２４が前記第二受部３５から外れる。このように、前記爪部２４が前記第二受部３５から外れた状態とすることで、前記Ｌ字金具２８の摺動部３１（前記長板部３０）は、前記本体２のケーシング５の水平部７に対して、前後両方向に移動可能となる。この状態で、使用者は、前記Ｌ字金具２８を後方に移動させ、前記防滑シート１２から前記防滑シート４０までの距離を前記ヘッドボードＨ２の厚さＴ２よりも大きくした後、前記指掛部２３から指を離す。これによって、前記照明装置１が前記ヘッドボードＨ２に取付可能な状態となる。
【００２９】
そして、前記挟持部３２（前記短板部２９）に取り付けられた当接部材３８と前記押圧部１０とで前記ヘッドボードＨ２を挟み込むようにした後、前記当接部材３８が動かないように支えながら、前記本体２を前記ヘッドボードＨ１に押し付ける。この際、前記Ｌ字金具２８は、前記水平部７に対して相対的に前方に移動する。そして、前記傾斜面２４Ｂに当接する前記第二受部３５の後端上縁が前記爪部２４、即ち前記ラチェットアーム２２を上方に押し上げるので、前記爪部２４が前記第二受部３５と係合していたとしても、前記Ｌ字金具２８は、前記水平部７に対して相対的に前方に移動可能である。そして、前記押圧部１０の防滑シート１２が前記ヘッドボードＨ２の前面に当接した状態から、更に前記本体２を前記ヘッドボードＨ２に押し付けることで、前記押圧部１０は、前記コイルバネ１１の付勢力に抗して、前方、即ち前記挟持部３２から離れる方向に移動する。この状態から使用者が手を離すと、前記押圧部１０は、前記コイルバネ１１の付勢力によって、前記ヘッドボードＨ２の前面に押し付けられる。一方、前記Ｌ字金具２８は、前記爪部２４の垂直面２４Ａが前記第二受部３５の前縁に当接した状態となることで、前記水平部７に対して相対的に後方に移動不能となる。従って、前記コイルバネ１１の付勢力によって、前記挟持部３２（前記短板部２９）に取り付けられた当接部材３８と前記押圧部１０とで前記ヘッドボードＨ２が挟持されるので、前記照明装置１は、図１０に示すように、前記ヘッドボードＨ２に取り付けられる。
【００３０】
なお、前述した通り、前記短板部２９は前記凹溝部３９の途中までしか挿入されない。しかしながら、前述した通り、前記当接部材３８は、強度の高い合成樹脂によって構成されるので、その全体が前記ヘッドボードＨ２にほぼ均等に押し当てられる。従って、前記短板部２９を挟持部３２とする場合であっても、前記ヘッドボードＨ２における後面（即ち反押圧部１０側の面）に対する当接面積を広くすることができるので、安定してヘッドボードＨ２を挟持することができる。
【００３１】
なお、前記ヘッドボードＨ２の後面と壁Ｗ等の間に、前記防滑シート４０及び保護シート４１が貼り付けられた前記当接部材３８が挿入可能な最小限の隙間を空けた状態で、この隙間に前記挟持部３２（前記短板部２９）に取り付けられた当接部材３８を挿入し、前記本体２を前記ヘッドボードＨ２に押し付けるだけで、前記照明装置１は、ベッド等を動かすことなく、前記ヘッドボードＨ２に取り付けられる。この際、前記当接部材３８が前記壁Ｗに軽く押し付けられるが、前述したように、前記当接部材３８の後側に前記保護シート４１が貼り付けられているので、前記壁Ｗは傷つけられることがない。
【００３２】
このようにして前記ヘッドボードＨ１又はＨ２に取り付けられた前記照明装置１の図示しない電源プラグを、同じく図示しない交流電源に接続する。そして、前記灯具２を、軸Ｘ，Ｙ周りに任意に回動させる。そして、前記操作部１６を押圧することで、前記押圧突部１７によって前記スイッチ１９が押圧され、前記主回路基板９上の点灯回路によって、前記発光ダイオード４５が発光する。そして、この発光ダイオード４５の発した光は、前記レンズ４６及び透光部４４を通って外部に放射される。なお、前記発光ダイオード４５の消灯時等に、前記発光ダイオード２０が点灯する。この発光ダイオード２０の発した光は、透光性を有する前記操作片１４を通って前記操作部１６を発光させる。従って、周囲が暗い状態であっても、前記操作部１６の位置を知ることができる。
【００３３】
以上のように、本考案は、垂直部６と水平部７を有するＬ字状の本体２と、灯具３と、固定部４とを有し、この固定部４が、挟持部３２と摺動部３１とを有するＬ字状の金具２８と、この金具２８の挟持部３２と対向する押圧部１０と、この押圧部１０を前記挟持部３２側へ付勢する付勢手段としてのコイルバネ１１と、前記金具２８の反押圧部１０側への移動を阻止する爪部２４とを有して構成され、前記Ｌ字状の金具２８に、同幅の短部としての短板部２９と長部としての長板部３０を設け、前記短板部２９に、複数の第一受部３３からなる第一受部群３４を設けると共に、前記長板部３０に、複数の第二受部３５からなる第二受部群３６を設け、照明装置１を比較的薄い被固定部であるヘッドボードＨ１に取り付ける場合、前記長板部３０を挟持部３２とし、前記短板部２９を摺動部３１として、前記第一受部群３４の第一受部３３と前記爪部２４とを係合させ、照明装置１を比較的厚いヘッドボードＨ２に取り付ける場合、前記短板部２９を挟持部３２とし、前記長板部３０を摺動部３１として、前記第二受部群３６の第二受部３５と前記爪部２４とを係合させることで、取り付け可能なヘッドボードＨ１，Ｈ２の厚さの範囲を拡大することができるものである。
【００３４】
また、本考案は、前記第一受部群３４における前記長板部３０に対し最遠の第一受部３３Ａから前記長板部３０までの距離Ｌ１を、前記第二受部群３６における前記短板部２９に対し最近の第二受部３５Ａから前記短板部２９までの距離Ｌ２、以上とすることで、前記長板部３０を挟持部３１とした場合に挟持可能なヘッドボードＨ１の厚さ範囲と、前記短板部２９を挟持部３１とした場合に挟持可能なヘッドボードＨ２の厚さ範囲との間にギャップが生じないので、挟持可能なヘッドボードＨ１，Ｈ２の厚さ範囲であれば、前記押圧部１０と挟持部３１によって良好に挟持することができるものである。
【００３５】
更に、本考案は、前記挟持部３１とされた前記短板部２９に、この短板部２９よりも長い当接部材３８を前記押圧部１０に対向させて着脱可能に取り付けることで、前記短板部２９を挟持部３１とする場合でも、ヘッドボードＨ２の反押圧部１０側に対する当接面積を広くすることができるので、安定してヘッドボードＨ２を挟持することができるものである。
【００３６】
なお、本考案は以上の実施形態に限定されるものではなく、考案の要旨の範囲内で種々の変形実施が可能である。例えば、上記実施形態では、第一受部及び第二受部はＬ字金具を構成する鋼板を厚さ方向に貫通する貫通孔であるが、凹部、或いは切り欠きとしても良い。また、上記実施形態では、Ｌ字金具に当接部材を着脱可能に取り付けたが、Ｌ字金具に防滑シート及び保護シートを直接取り付けても良い。また、上記実施形態では、当接部材を強度の高い合成樹脂で構成したが、要は当接部材が容易に撓んだりしなければ良いので、金属で構成しても良い。また、上記実施形態では、Ｌ字金具は鋼板を折り曲げて形成したが、十分な太さの線材をＬ字状に折り曲げて形成しても良い。更に、上記実施形態では、本体をＬ字状に形成したが、要は垂直部と水平部を有すれば良いので、Ｔ字状或いは十字状に形成しても良い。
【符号の説明】
【００３７】
１  照明装置
２  本体
３  灯具
４  固定部
６  垂直部
７  水平部
１０  押圧部
１１  コイルバネ（付勢手段）
２４  爪部
２８  Ｌ字金具
２９  短板部（短部）
３０  長板部（長部）
３１  摺動部
３２  挟持部
３３，３３Ａ，３３Ｂ  第一受部
３４  第一受部群
３５，３５Ａ  第二受部
３６  第二受部群
３８  当接部材
Ｌ１  距離
Ｌ２  距離
Ｈ１，Ｈ２  ヘッドボード（被固定部）
【図１】
0003177076.tif 000003
【図２】
0003177076.tif 000004
【図３】
0003177076.tif 000005
【図４】
0003177076.tif 000006
【図５】
0003177076.tif 000007
【図６】
0003177076.tif 000008
【図７】
0003177076.tif 000009
【図８】
0003177076.tif 000010
【図９】
0003177076.tif 000011
【図１０】
0003177076.tif 000012